(57)【要約】【課題】  端子突起によるアクチュエータ薄型化の障害を解消し、より薄型化した光ピックアップ装置及びそれを用いた光ディスク装置を提供する。【解決手段】  可動部２５を固定部２６に対して、支持基体１７に一端が固定され、他端がレンズ保持部材１５の端子突起２７に固定された弾性支持部材弾性支持部材１６ａ，１６ｂ、１６ｃ，１６ｄ、１６e、１６ｆによって支持し、且つ、端子突起２７に絡げられた駆動用コイルの巻線を弾性支持部材と電気的に接続する。その際、レンズ保持部材１５の高さ方向に隣接する端子突起２７を、レンズ保持部材１５の表面から異なる方向に突出させる構造とする。【選択図】        図１
2007087451.tif 000002
【特許請求の範囲】
【請求項１】
対物レンズ、対物レンズ駆動用コイル、前記対物レンズ及び前記駆動用コイルを保持するためのレンズ保持部材を有する可動部と、支持基体を有する固定部とを含み、前記レンズ保持部材の側面には前記駆動用コイルを接続するための端子突起が前記レンズ保持部材の高さ方向に複数形成されており、前記可動部は前記固定部に対して前記支持基体と前記レンズ保持部材の端子突起との間に固定された複数の弾性支持部材によって支持され、且つ、前記端子突起において前記駆動用コイルの巻線が前記弾性支持部材と電気的に接続された光ピックアップ装置において、前記レンズ保持部材の高さ方向に隣接する端子突起が、前記レンズ保持部材の表面から異なる方向に突出していることを特徴とする光ピックアップ装置。
【請求項２】
前記端子突起は、前記レンズ保持部材に一体成形されていることを特徴とする請求項１に記載の光ピックアップ装置。
【請求項３】
前記端子突起は、前記レンズ保持部材の同一表面でなく複数表面から突出していることを特徴とする請求項１又は２に記載の光ピックアップ装置。
【請求項４】
前記レンズ保持部材の高さ方向に隣接する端子突起のうち、一方はトラッキング方向に突出し、他方はタンジェンシャル方向に突出していることを特徴とする請求項１〜３のいずれか１項に記載の光ピックアップ装置。
【請求項５】
前記端子突起は、光デイスクの記録トラックの接線を含み、光ディスクに直交する平面に対してそれぞれ複数配置されていることを特徴とする請求項１〜４のいずれか１項に記載の光ピックアップ装置。
【請求項６】
請求項１〜５のいずれか１項に記載の光ピックアップ装置を含み、光ディスクに対して前記光ピックアップ装置から記録用光ビーム又は再生用光ビームを照射することによって情報の記録又は再生を行うことを特徴とする光ディスク装置。
【発明の詳細な説明】
【技術分野】
【０００１】
本発明は、光ディスクに情報信号を記録又は再生するための光ピックアップ装置及びそれを用いた光ディスク装置に関するものである。
【背景技術】
【０００２】
図７は一般的な光ディスク装置の概略構成を示す。図中１は光ディスク、２は光ヘッド、３は光ディスク１を回転駆動するスピンドルモータである。光ヘッド２はレーザ光源６、コリメータレンズ７、ビームスプリッタ８、集光レンズ９、受光素子１０、対物レンズ２０、及び対物レンズ２０をフォーカス制御及びトラッキング制御するアクチュエータ１１より構成されている。
【０００３】
光ディスク１は基板１２上に形成された可逆的に相状態が変化し得る相変化材料から成る情報信号記録層１３、及び透明な樹脂材料から成るカバー層１４より構成されている。情報信号記録層１３には、螺旋状又は同心円状の記録トラックが形成されている。情報信号記録層１３は光磁気記録材料又はピット（凹凸）を形成した金属反射膜であってもよい。光ピックアップ２は光ディスク１のカバー層１４に対向する側に配置されている。光ピックアップ２から光ディスク１に対して記録用光ビームや再生用光ビームを照射することで情報信号の記録や再生を行う。
【０００４】
図８はアクチュエータ１１の構成を示す。図８（ａ）は斜視図、図８（ｂ）は側面図である。アクチュエータ１１は、固定部２６と可動部２５から成り、固定部２６は永久磁石２１ａ，２１ｂ、２１ｃ、ヨーク２４、及び支持基台１７で構成されている。可動部２５は対物レンズ２０、フォーカスコイル１９ａ、１９ｂ、トラッキングコイル１８及びこれらを保持するレンズ保持部材１５で構成されている。
【０００５】
弾性支持部材１６ａ，１６ｂ，１６ｃ，１６ｄ，１６e，１６fは線状で弾性及び高導電性を有する。それの一端は支持基台１７に固定され、他端は可動部２５が光ディスク１に対してフォーカス方向、トラッキング方向及びラジアルチルト方向への変位が自在であるようにレンズ保持部材１５の側面に固定されている。
【０００６】
ここで、フォーカスコイル１９ａ、１９ｂ、トラッキングコイル１８の各コイルの巻線端末２８は、レンズ保持部材１５の側面に設けられた端子突起２７に絡げられている。弾性支持部材１６ａ，１６ｂ，１６ｃ，１６ｄ，１６e，１６fは端子突起２７上でフォーカスコイル１９ａ、１９ｂ、トラッキングコイル１８にハンダ付け（２２）することでコイルに電気的に接続されている。巻線端末２８に関しては、トラッキングコイル１８の巻線端末はレンズ保持部材１５の端子突起のうち一番上の端子突起、フォーカスコイル１９ａの巻線端末は２番目の端子突起、フォーカスコイル１９ｂの巻線端末は３番目の端子突起というように絡げられている。
【０００７】
更に、図７に示すように光ディスク装置は、アクチュエータ１１をフォーカス制御、トラッキング制御及びチルト制御するための、エラー信号生成回路４と制御回路５とを備えている。制御回路５は弾性支持部材１６ａ，１６ｂ，１６ｃ，１６ｄ，１６e，１６fを通してフォーカスコイル１９ａ、１９ｂ、トラッキングコイル１８に制御電流を供給する。
【０００８】
制御回路５はこのフォーカスエラー信号とトラッキングエラー信号に基づく制御電流をフォーカスコイル１９ａ、１９ｂとトラッキングコイル１８に供給する。アクチュエータ１１はこの制御電流と永久磁石２１ａ，２１ｂ、２１ｃが発生する磁束との間で発生する電磁的な力によって可動部２５を光ディスク１に対して３方向に駆動する。３方向とは、光ディスク１に対してフォーカス方向と記録トラックに直交するトラッキング方向と記録トラックの接線方向(タンジェンシャル方向)を軸としてラジアルチルト方向である。
【０００９】
このようにして光スポットは、光ディスク１が面振れによりフォーカス方向に変位しても、これに追従して記録トラック上に正確に集光するようにフォーカス制御される。また、記録トラックが偏芯によりトラッキング方向に変位してもこれに追従しながら走査するようにトラッキング制御され、更にディスクチルト等による影響を補正するためにチルト制御される。
【００１０】
ところで、近年、光ディスク装置は携行可能な機器、例えば、音声、静止画、動画等の記録再生機器へも応用されるようになってきているため、光ディスク装置の小型化、薄型化というのが非常に重要な課題である。ところが、従来の光ピックアップ装置ではアクチュエータ可動部のレンズ保持部材の高さ方向の寸法は端子突起の配置に大きく依存している。
【００１１】
例えば、特開２０００−５７６０３号公報には、図９に示すようにレンズ保持部材に一体成型された端子突起２７は光ディスク１の光スポットの位置における記録トラックの接線を含み、光ディスク１に直交する平面に対して両側にそれぞれ複数配置されている（特許文献１）。一方の側の各端子突起２７はレンズ保持部材１５の同一面より同一方向に突出しているため、巻線ジグのスペースやハンダ付けスペースを同一面内で考慮する必要がある。
【特許文献１】特開２０００−５７６０３号公報
【発明の開示】
【発明が解決しようとする課題】
【００１２】
図１０はレンズ保持部材のコイル巻線端子部の側面図を示す。各コイルの巻線２８は巻線ジグによって端子突起２７に周回させて巻きつけるため、巻線ジグと端子が干渉しないように隣接する端子突起の配置は一定間隔（約１ｍｍ以上）が必要である。巻線ジグは巻線２８を自動で端子突起２７に巻き付けるための治具であり、例えば、図１０に示すようにφ１ｍｍ程度の巻線ジグが端子突起２７の周囲を回転することにより、巻線２８を端子突起２７に巻き付けるものである。図１０中に斜線で示す範囲が巻線ジグ用の配置スペースとなる。
【００１３】
また、端子突起部２７に弾性支持部材の一端をハンダ付けするため、端子がハンダ付けされる側には一定のスペースが必要である。これらの組み立て上の制約により、隣接する端子突起の間隔は、通常約１ｍｍ以上で配置する必要があるため、アクチュエータのレンズ保持部材を薄型化する際に端子突起の間隔が障害となっている。
【００１４】
図１１は上述のように端子間隔（約１ｍｍ）を維持したまま、レンズ保持部材を薄型化した場合の模式図を示す。図１１に示すように一方の側の３つの端子突起２７について一番上の端子を上端子、中央の端子を中端子、一番下の端子を下端子とする。その場合、図１１に示すようにアクチュエータを薄型化するために下端子をフォーカス上方へ移動させると（図１１の（１））、中端子をタンジェンシャル前後方向のどちらかに移動させる必要がある。
【００１５】
中端子をタンジェンシャル前方に移動させると、光ピックアップの光学部品である跳ね上げミラーや光学ベースとの干渉問題が生じる（図１１の（２）（ａ））。この干渉問題を回避するためには、光ピックアップ構成部品の再配置が必要となり、光ピックアップ全体が拡大するため小型化することができない。
【００１６】
また、中端子をタンジェンシャル後方へ移動させると、弾性支持部材の支持点が後方へ移動することにより可動部側の支持点と固定部側の固定端の距離が短縮される(図１１の（２）（ｂ）)。この場合には、アクチュエータの感度悪化やチルト増加等特性が悪化する傾向にある。このようにアクチュエータの薄型化を試みた時に端子突起の配置が支障となっていた。
【００１７】
本発明の目的は、端子突起によるアクチュエータ薄型化の障害を解消し、より薄型化した光ピックアップ装置及びそれを用いた光ディスク装置を提供することにある。
【課題を解決するための手段】
【００１８】
本発明は、上記目的を達成するため、対物レンズ、対物レンズ駆動用コイル、前記対物レンズ及び前記駆動用コイルを保持するためのレンズ保持部材を有する可動部と、支持基体を有する固定部とを含み、前記レンズ保持部材の側面には前記駆動用コイルを接続するための端子突起が前記レンズ保持部材の高さ方向に複数形成されており、前記可動部は前記固定部に対して前記支持基体と前記レンズ保持部材の端子突起との間に固定された複数の弾性支持部材によって支持され、且つ、前記端子突起において前記駆動用コイルの巻線が前記弾性支持部材と電気的に接続された光ピックアップ装置において、前記レンズ保持部材の高さ方向に隣接する端子突起が、前記レンズ保持部材の表面から異なる方向に突出していることを特徴とする。
【００１９】
本発明においては、レンズ保持部材の高さ方向に隣接する端子突起をレンズ保持部材の表面から異なる方向に突出させている。そのため、アクチュエータを薄型化する際に各コイルの巻線を絡げる作業時の巻線ジグと端子突起の干渉問題を解消でき、ハンダ付け作業性が向上する。また、端子突起の配置に関してタンジェンシャル前後方向に移動させる必要がないため、アクチュエータの特性悪化や他の光ピックアップ構成部品との干渉の問題も生じない。
【発明の効果】
【００２０】
本発明によれば、駆動用コイルの巻線を絡げるための端子突起をレンズ保持部材に対して複数方向に突出させることにより、アクチュエータをより薄型化することができ、ひいては光ディスク装置を薄型化することができる。
【発明を実施するための最良の形態】
【００２１】
次に、発明を実施するための最良の形態について図面を参照して説明する。なお、本発明に係る光ディスク装置の構成及び動作は図７に示す光ディスク装置と同様である。但し、光ピックアップの構成が従来と異なっており、本発明に係る光ピックアップ装置が図７の光ディスク装置に搭載されている。本発明は、特に、光ピックアップ装置において端子突起の配置に特徴を有し、後述するように光ピックアップ装置の薄型化を実現するものである。
【００２２】
図１は本発明に係る光ピックアップ装置のアクチュエータ１１を示す。図１（ａ）は斜視図、図１（ｂ）は側面図である。図１では図８の従来のアクチュエータと同一部分には同一符号を付している。アクチュエータ１１は固定部２６と可動部２５から成り、固定部２６は永久磁石２１ａ，２１ｂ、２１ｃ、ヨーク２４、及び支持基台１７で構成されている。可動部２５は対物レンズ２０、フォーカスコイル１９ａ、１９ｂ、トラッキングコイル１８、及びこれらを保持するレンズ保持部材１５で構成されている。
【００２３】
弾性支持部材１６ａ，１６ｂ，１６ｃ，１６ｄ、１６e、１６ｆは線状で弾性及び高導電性を有し、一端は支持基台１７に固定されている。他端は可動部２５が光ディスク１に対してフォーカス方向、トラッキング方向及びラジアルチルト方向への変位が自在であるようにレンズ保持部材１５の側面に形成された端子突起２７に固定されている。弾性支持部材１６ａ，１６ｂ，１６ｃ，１６ｄ、１６e、１６ｆはレンズ保持部材１５上でフォーカスコイル１９ａ、１９ｂ、及びトラッキングコイル１８に電気的に接続されている。
【００２４】
また、本発明に係る光ディスク装置は図７に示すようにアクチュエータ１１をフォーカス制御及びトラッキング制御するための、エラー信号生成回路４と制御回路５を備えている。制御回路５は弾性支持部材１６ａ，１６ｂ、１６ｃ，１６ｄ、１６e、１６ｆを通してフォーカスコイル１９ａ、１９ｂとトラッキングコイル１８に制御電流を供給する。この制御電流と永久磁石２１ａ，２１ｂ、２１ｃが発生する磁束との間で発生する電磁的な力により可動部２５はフォーカス、トラッキング及びラジアルチルト方向に駆動される。
【００２５】
ここで、レンズ保持部材１５に一体成形された端子突起２７には、各コイルからの巻線が周回して絡げられており、その後に弾性支持部材とハンダ付けすることで電気的に接続されている。レンズ保持部材１５の側面に形成された端子突起２７は、光スポットの位置における光ディスク１の記録トラックの接線を含み光ディスクに直交する平面に対して両側にそれぞれ複数配置されている。一方の側の各端子突起は図１に示すように上下端子と中端子はそれぞれトラッキング方向、タンジェンシャル方向と異なる方向へ突出している。
【００２６】
このため、各コイルの巻線を絡げる際に上下端子間で巻線ジグの干渉を考慮する必要があるが、中央の端子突起は干渉しない配置となるため問題とならない。従って、上下端子の間隔を巻線ジグが干渉する距離の限界まで短縮することにより、レンズ保持部材１５を薄型化でき、アクチュエータ１１を薄型化することが可能となる。
【００２７】
このようにレンズ保持部材１５に一体成型された端子突起２７を同一方向ではなく複数方向へ突出させることで、中央端子の干渉問題がなくなるため上下の端子間隔を短縮することが可能となる。そして、アクチュエータ周りの部材との干渉、アクチュエータの特性の悪化、作業性の悪化等の問題なしにアクチュエータを薄型化することができる。
【実施例】
【００２８】
次に、本発明の実施例について説明する。
【００２９】
(実施例１)
図２は本発明の実施例１を示す図である。図２（ａ）は実施例１における端子突起部の拡大図、図２（ｂ）はレンズ保持部材１５の正面図、図２（ｃ）はその平面図、図３（ｄ）はその側面図である。なお、実施例１は基本的に図１と同様の構造である。まず、アクチュエータ１１の可動部２５は固定部２６に対して６本の弾性支持部材１６ａ〜１６ｆで支持されており、光ディスク１に対してフォーカス、トラッキング、ラジアルチルト方向に駆動される。
【００３０】
また、端子突起２７は上述のように光ディスク１の記録トラックの接線を含み光ディスクに直交する平面に対して両側にそれぞれ複数配置されている。そして、図２（ａ）に示すように一方の側の端子突起２７に関して、上下端子はトラッキング方向に突出しているのに対して、中央の端子はタンジェンシャル方向に突出している。レンズ保持部材１５のもう一方の側面にも、上述のように端子突起がレンズ保持部材１５の高さ方向に３個配置されているが、両側の端子突起は対称に配置されている。
【００３１】
端子突起２７には、可動部２５に配置された各コイルからの巻線端末が周回して絡げられ、可動部２５を支持する弾性支持部材の一端をハンダ付けすることで巻線端末が弾性支持部材に電気的に接続されている。端子突起にコイルの巻線端末を絡げる際には、通常は巻線ジグが使用され、端子突起を周回するため、各端子突起の周囲には一定のスペースが必要である。
【００３２】
また、端子突起に絡げられた巻線と弾性支持部材をハンダ付けする際のハンダ付け作業についても、ハンダゴテを設置するスペースや、ハンダ自体のスペースを考慮する必要がある。本発明においては中央の端子を上下端子と異なる方向に突出させることで、巻線ジグやハンダスペース等を容易に確保することができる。
【００３３】
図３はレンズ保持部材１５の端子突起部を示す。図３（a）は側面図、図３（ｂ）は正面図である。図３に示すように各端子突起２７を複数方向に突出させることで、各コイルの巻線を複数方向から端子に絡げることが可能となる。斜線で示す範囲が巻線ジグ用スペースとなる。
【００３４】
図４はレンズ保持部材１５の端子突起２７のハンダ付けを行うためのスペースを示す。図４に示すようにハンダ付けを行うためのスペース(ハンダゴテスペース、ハンダスペース)に関しても、各端子突起２７を複数方向へ突出させるように配置することで十分確保できる。そのため、組み立て時に支障がなくアクチュエータ１１の特性を悪化させることなくアクチュエータ１１を薄型化することが可能である。
【００３５】
なお、上述した実施形態においては、光ディスク１の記録トラックの接線を含み光ディスクに直交する平面に対して両側に配置された複数の端子突起２７は対称であるが、本発明は対称配置であることに限定しない。
【００３６】
(実施例２)
図５は本発明の実施例２を示す図である。図５（a）はレンズ保持部材周辺の斜視図、図５（ｂ）は端子突起部の拡大図、図５（ｃ）は平面図、図５（ｄ）は側面図である。本実施例では、図５に示すように可動部２５は４本の弾性支持部材５３a、５３ｂ、５３ｃ、５３ｄによって支持されている。実施例２では、１つのフォーカスコイル５１とトラッキングコイル５２を用いて可動部２５を駆動するアクチュエータの例を示す。そのため、図５では４本の弾性支持部材５３a、５３ｂ、５３ｃ、５３ｄを用いて可動部２５を支持している。その他の構成は実施例１と同様である。
【００３７】
フォーカスコイル５１、トラッキングコイル５２の巻線端末２８は端子突起２７の回りを周回することにより絡げられ、弾性支持部材５３a、５３ｂ、５３ｃ、５３ｄの一端とハンダ付け（５４）することで電気的に接続されている。そして、可動部２５はフォーカスコイル５１、トラッキングコイル５２と固定部のヨーク、マグネットに発生する磁力によってそれぞれフォーカス方向、トラッキング方向に駆動される。
【００３８】
本実施例では、レンズ保持部材１５に設置された各端子突起は光ディスク１の記録トラックの接線を含み光ディスクに直交する平面に対して両側に配置されている。そして、レンズ保持部材１５の側面における２個の隣接する端子突起２７は、異なる方向（図中Ａトラッキング方向、Ｂタンジェンシャル方向）へ突出している。
【００３９】
図６は従来と実施例２との巻線ジグスペースを比較して示す。斜線で示す範囲が巻線ジグに必要なスペースである。図６（ａ）は従来の端子突起の配置であるが、一方の各端子突起が同一方向に突出しているため、巻線ジグやハンダスペースを確保するには図６（ａ）に示すように同一面内で一定の端子間距離が必要であり薄型化が困難である。
【００４０】
これに対して、実施例２では図６（ｂ）に示すように隣接する端子突起の突出方向が異なるため、巻線ジグでコイル巻線を絡げる際に巻線ジグと端子が干渉することはない。また、端子部付近に十分なスペースを確保できるため、ハンダ、ハンダゴテスペースにも余裕があり、作業性がよい。従って、図６に示すような端子配置を適用すると、アクチュエータの特性、組み立て作業性が悪化することなく、レンズ保持部材を薄型化することでワイヤ間隔を１．６ｍｍ→１．２ｍｍとすることができ、アクチュエータ全体を薄型化することが可能である。
【図面の簡単な説明】
【００４１】
【図１】本発明に係る光ピックアップ装置の一実施形態を示す図である。
【図２】本発明の実施例１における光ピックアップ装置の構成を示す図である。
【図３】本発明の実施例１における巻線ジグ用スペースを説明する図である。
【図４】本発明の実施例１における端子突起部のハンダ付けスペースを説明する図である。
【図５】本発明の実施例２を示す図である。
【図６】本発明の実施例２における巻線ジグ用スペースを説明する図である。
【図７】光ディスク装置を示す構成図である。
【図８】従来例の光ピックアップ装置のアクチュエータを示す図である。
【図９】従来のアクチュエータにおける端子突起を説明する図である。
【図１０】従来のアクチュエータにおける巻線ジグ用スペースを説明する図である。
【図１１】従来のアクチュエータにおける問題点を説明する図である。
【符号の説明】
【００４２】
１  光ディスク
２  光ピックアップ
３  スピンドルモータ
４  エラー信号生成回路
５  制御回路
６  レーザ光源
７  コリメータレンズ
８  ビームスプリッタ
９  集光レンズ
１０  受光素子
１１  アクチュエータ
１２  基板
１３  情報信号記録層
１４  カバー層
１５  レンズ保持部材
１６a,１６ｂ,１６ｃ,１６d,１６e,１６ｆ  弾性支持部材
１７  支持基台
１８  トラッキングコイル
１９a,１９ｂ  フォーカスコイル
２０  対物レンズ
２１ａ,２１ｂ,２１ｃ  永久磁石
２２  ハンダ
２４  ヨーク
２５  可動部
２６  固定部
２７  端子突起
２８  コイル巻線
５１  フォーカスコイル
５２  トラッキングコイル
５３ａ，５３ｂ，５３ｃ，５３ｄ  弾性支持部材
５４  ハンダ
【図１】
2007087451.tif 000003
【図２】
2007087451.tif 000004
【図３】
2007087451.tif 000005
【図４】
2007087451.tif 000006
【図５】
2007087451.tif 000007
【図６】
2007087451.tif 000008
【図７】
2007087451.tif 000009
【図８】
2007087451.tif 000010
【図９】
2007087451.tif 000011
【図１０】
2007087451.tif 000012
【図１１】
2007087451.tif 000013